【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
少なくとも１人の人の少なくとも１つの生理的パラメータ及びある領域内での動きを捕捉して観察する方法であって、
前記領域をそれぞれ場所識別子を有するセルに分割するステップと、
各人に各人の少なくとも１つの生理的パラメータを測定する各自の器具を提供し、前記生理的パラメータが前記人がある健康状態にあるかどうかを示し、各々の器具が器具識別子を有するステップと、
各自の器具を用いて各人の生理的パラメータを少なくとも間欠的に測定して各測定に対する生理的パラメータ測定値を得るステップと、
前記生理的パラメータが得られるセルのそれぞれの場所識別子及び時間によって、前記生理的パラメータ測定値の選択された数の各々を少なくとも選択された数の前記器具のそれぞれの器具識別子と関連させるステップと、
前記関連する生理的パラメータ測定値、器具識別子、場所識別子及び時間を記憶するステップと、
を含むことを特徴とする方法。
【請求項２】
前記観察が遠隔場所から実施されることを特徴とし、
前記方法が、
前記関連する生理的パラメータ測定値、器具識別子、場所識別子及び時間を前記遠隔場所に送信してそこで記憶させるステップを更に含む請求項1記載の方法。
【請求項３】
前記生理的パラメータ測定値を第１の予め定められた生理的パラメータ閾値と比較して前記人が適切に前記装置を装着しているかどうか判定するステップをさらに含む請求項１及び２記載の方法。
【請求項４】
前記人が適切に器具を装着していないと判定される場合に、生理的パラメータ測定値と関連する前記器具識別子及び前記場所識別子を用いている人を識別して位置を示すステップを更に含む請求項３記載の方法。
【請求項５】
前記生理的パラメータ測定値を第２の予め定められた生理的パラメータ閾値と比較して、前記人がある健康状態にあるかどうかを判定するステップをさらに含む請求項１乃至４記載の方法。
【請求項６】
前記人が前記健康状態にあると判定される場合に、前記生理的パラメータ測定値に関連する前記器具識別子及び前記場所識別子を用いている前記人を識別して位置を示すステップを更に含む請求項５記載の方法。
【請求項７】
前記第２の予め定められた生理的パラメータ閾値が個々に予め決められることを特徴とする請求項５及び６に記載の方法。
【請求項８】
前記人に対して個々に判定される生理的パラメータ修正要因によって前記生理的パラメータ測定値を調整してから前記調整された生理的パラメータ測定値を前記第１または前記第２の予め定められた生理的パラメータ閾値と比較するステップをさらに含む請求項３乃至７記載の方法。
【請求項９】
少なくとも１人の他の人のそれぞれの器具から測られる少なくとも１つの生理的パラメータ測定値に関連する時間及び場所識別子を前記識別されて位置を示された人の前記時間及び場所識別子と一致させるステップと、
一致する場合に前記他の人が前記識別されて位置を示された人の物理的近傍にいたと識別するステップと、
を含む請求項６乃至８記載の方法。
【請求項１０】
少なくとも1人の人の少なくとも１つの生理的パラメータ及びある領域内での動きを捕捉して観察するシステムであって、
遠隔制御装置と、
前記領域内で空間的配置において設けられて前記領域をそれぞれのセルに分割し、さらに、各々がそれぞれステーション識別子を有し、前記制御装置に接続されて、第１の人に取付けられた少なくとも１つの生理的パラメータ測定器具から生理的パラメータ測定値及びそれぞれの器具識別子を受信し、前記受信した生理的パラメータ測定値及び前記器具識別子をそのステーション識別子とともに前記制御装置に送信するように用いられることを特徴とする複数のアクセスステーションと、
前記生理的パラメータ測定値、前記器具識別子、前記ステーション識別子及び前記生理的パラメータ測定値が前記器具によって取得された時間が、前記制御装置において第１の記録に記憶され、
前記制御装置が用いられて、少なくとも１人のその他の人の別の各自の器具から得られる少なくとも別の記録の日付、時間及び場所識別子を前記第1の記録の日付、時間及び場所識別子と一致させて、一致があれば少なくとも1人のその他の人が前記第１の人の物理的近傍にいるということを識別することを特徴とするシステム。
【請求項１１】
前記制御装置が用いられて、前記生理的パラメータ測定値を第１の予め定められた生理的パラメータ閾値と比較して前記第１の人が適切に前記装置を装着しているかどうか判定することを特徴とする請求項１０記載のシステム。
【請求項１２】
前記制御装置がさらに用いられて、前記生理的パラメータ測定値に関連する前記器具識別子及び前記場所識別子に対応する情報を提供し、前記第１の人が前記器具を適切に装着していないと判定される場合に前記第１の人を識別して位置を示すことを特徴とする請求項１１記載のシステム。
【請求項１３】
前記制御装置が用いられて、前記生理的パラメータ測定値を第２の予め定められた閾値と比較して、前記第１の人がある健康状態にあるかどうか判定することを特徴とする請求項１０乃至１２記載のシステム。
【請求項１４】
前記制御装置がさらに用いられて、前記生理的パラメータと関連する前記器具識別子及び前記場所識別子に対応する情報を提供し、前記第１の人が前記健康状態にあると判定される場合に前記第１の人を識別して位置を示すことを特徴とする請求項１３記載のシステム。
【請求項１５】
前記第２の予め定められた生理的パラメータ閾値が、前記第１の人に対して個々に予め定められていることを特徴とする請求の範囲１３及び１４記載のシステム。
【請求項１６】
前記生理的パラメータ測定値が調整されて、前記調整された生理的パラメータ測定値を前記第１または第２の生理的パラメータ閾値のいずれかと比較する前に、前記第１の人に対して個々に判定される生理的パラメータ修正要因を含むことを特徴とする請求項1１乃至１５記載のシステム。
【請求項１７】
前記制御装置が用いられて、前記第１の人が前記器具を適切に装着していないかまたは前記健康状態にあるかのいずれかと判定される場合に、警告メッセージを生成し、前記警告メッセージが前記ステーション識別子及び前記器具識別子に対応する情報を含むことを特徴とする請求項１１乃至１６記載のシステム。
【請求項１８】
前記警告メッセージが、前記制御装置が接続可能である通信ネットワークを介して予め定められた受取人に送出されることを特徴とする請求項１７記載のシステム。
【請求項１９】
前記通信ネットワークが、公衆通信ネットワークであることを特徴とする請求項１８記載のシステム。
【請求項２０】
前記制御装置が用いられて、前記器具にその器具識別子及び前記器具で測定された生理的パラメータ測定値を送信するように指示することを特徴とする請求項１０乃至１９記載のシステム。
【請求項２１】
前記制御装置が用いられて、少なくとも１つの選択されたアクセスステーションを介して対応する指示を放送することによって前記器具に指示し、前記指示が前記少なくとも１つの選択されたアクセスステーションのサービスエリア内の全ての器具で受信可能であることを特徴とする請求項２０記載のシステム。
【請求項２２】
前記第１の人に取付けられて前記第１の人の少なくとも１つの生理的パラメータを観察する少なくとも１つの生理的パラメータ測定器具を含み、各々の器具が器具識別子を有していて前記セル内にあるときに前記セルの前記各アクセスステーションに接続されていることをさらに含む請求項１０乃至２１記載のシステム。
【請求項２３】
生理的パラメータ測定器具であって、
変換器と、
送信器と、
前記変換器及び前記送信器に接続されていて、前記変換器を制御して人の生理的パラメータを少なくとも間欠的に測定しかつ、前記測定値が少なくとも予め定められた閾値からはずれていると判断される場合に前記送信器を制御して前記測定された生理的パラメータに対応する測定値を送信するようになすプロセッサと、
を含み、前記生理的パラメータ測定器具が、
第１の部分と、
第２の部分と、
前記第１の部分と前記第２の部分との間で接続している可撓性中間部分と、
を有する筐体をさらに含み、
前記プロセッサ、前記送信器及び前記受信器が前記第１の筐体部分に収容され、前記変換器が前記第２の筐体部分で支持されることを特徴とする器具。
【請求項２４】
前記プロセッサに接続された受信器を更に含み、前記プロセッサが前記受信器を介して送信するようにという指示を受信する場合にだけ、前記測定値が送信されることを特徴とする請求項２３記載の器具。
【請求項２５】
前記器具が体温計であることを特徴とする請求項２３及び２４記載の器具。
【請求項２６】
前記第１及び第２の部分が互いの方へ屈曲可能であって、衣類の１部に引っかかるU字形の器具を画定し、前記変換器が人の腹部と接触してそこで体温を測定することを特徴とする請求項２５記載の装置。